(57)【特許請求の範囲】
【請求項１】
上下に隣り合う外壁材の上下に隣接する端縁部をそれぞれ支持して壁下地に該外壁材を取り付ける外壁材取付具であって、
前記壁下地に固定される取付具本体と、
前記取付具本体から前方に突出し、前記外壁材を支持する支持部と、
前記壁下地に対し、前記取付具本体を前後方向に角度調整可能とする調整手段と、を備え、
前記調整手段は、前記取付具本体が前記壁下地に固定された状態で該取付具本体を前方に付勢する付勢部材で構成されており、
前記取付具本体には、該取付具本体を前記壁下地に固定する固定具が挿通される挿通孔が形成されており、
前記取付具本体は、前記壁下地に当たる後面を有し、
前記付勢部材は、前記壁下地に当たる部分を有し、
前記部分は、前記固定具の前記壁下地への捻じ込み量に対応して、前記後面よりも後方の位置と、前記後面と同じ前後位置との間で移動可能であることを特徴とする外壁材取付具。
【請求項２】
上下に隣り合う外壁材の上下に隣接する端縁部をそれぞれ支持して壁下地に該外壁材を取り付ける外壁材取付具であって、
前記壁下地に固定される取付具本体と、
前記取付具本体から前方に突出し、前記外壁材を支持する支持部と、
前記壁下地に対し、前記取付具本体を前後方向に角度調整可能とする調整手段と、を備え、
前記調整手段は、前記取付具本体が前記壁下地に固定された状態で該取付具本体を前方に付勢する付勢部材で構成されており、
前記取付具本体には、該取付具本体を前記壁下地に固定する固定具が挿通される挿通孔が形成されており、
前記付勢部材は、前記挿通孔と同軸となるように前記取付具本体から後方に延びるコイルスプリングであり、
前記取付具本体の後面は、前記壁下地に当たる部分と、前方に凹んだ凹部と、を有し、
前記コイルスプリングの後端は、前記固定具の前記壁下地への捻じ込み量に対応して、前記部分よりも後方に位置して前記壁下地に当たる位置と、前記凹部に収まって前記壁下地に当たる位置との間で移動可能であることを特徴とする外壁材取付具。
【請求項３】
前記付勢部材は、前記取付具本体に一体に設けられた板バネであることを特徴とする請求項１に記載の外壁材取付具。
【請求項４】
請求項１乃至３のいずれか１項に記載の外壁材取付具を複数備え、
前記外壁材として、
側端面同士が突き合わせられた状態で配される第一外壁材と第二外壁材とを備え、
ジョイナを更に備え、
前記第一外壁材は、複数の前記外壁材取付具のうちの一部によって支持され、
前記第二外壁材は、前記ジョイナによって前記第一外壁材に向けて付勢され、かつ複数の前記外壁材取付具のうちの他の一部によって支持されることを特徴とする外壁構造。
【発明の詳細な説明】
【技術分野】
【０００１】
本発明は、外壁材取付具及び外壁構造に関する。
【背景技術】
【０００２】
特許文献１には、壁下地に取り付けられた縦胴縁に外壁材取付金具（以下、単に「取付金具」という。）を介して外壁材が取り付けられた外壁構造が記載されている。
【０００３】
この外壁構造では、取付金具によって外壁材が壁下地に平行に設置されている。
【先行技術文献】
【特許文献】
【０００４】
【特許文献１】特開２０１２−２２９５８６号公報
【発明の概要】
【発明が解決しようとする課題】
【０００５】
特許文献１に記載の外壁構造は、取付金具によって外壁材が壁下地に平行に設置されるものであるため、壁下地が鉛直方向に対して傾いている場合には、取付金具によって外壁材を鉛直に設置することができない。
【０００６】
そこで、本発明は、壁下地が鉛直方向に対して傾いている場合でも、外壁材を略鉛直に設置することができる外壁材取付具及びこれを用いた外壁構造を提供することを、目的とする。
【課題を解決するための手段】
【０００７】
本発明の一形態に係る外壁材取付具は、上下に隣り合う外壁材の上下に隣接する端縁部をそれぞれ支持して壁下地に該外壁材を取り付ける外壁材取付具であって、前記壁下地に固定される取付具本体と、前記取付具本体から前方に突出し、前記外壁材を支持する支持部と、前記壁下地に対し、前記取付具本体を上下方向に角度調整可能とする調整手段と、を備えることを特徴とする。
【０００８】
また、本発明の一形態に係る外壁材取付具では、前記調整手段は、前記取付具本体が前記壁下地に固定された状態で該取付具本体を前方に付勢する付勢部材で構成されていることが好ましい。
【０００９】
また、本発明の一形態に係る外壁材取付具では、前記付勢部材は、前記取付具本体に一体に設けられた板バネであることが好ましい。
【００１０】
また、本発明の一形態に係る外壁材取付具では、前記取付具本体には、該取付具本体を前記壁下地に固定する固定具が挿通される挿通孔が形成されており、前記付勢部材は、前記挿通孔と同軸となるように前記取付具本体から後方に延びるコイルスプリングであることが好ましい。
【００１１】
また、本発明の一形態に係る外壁構造は、前記外壁材取付具を複数備え、前記外壁材として、側端面同士が突き合わせられた状態で配される第一外壁材と第二外壁材とを備え、前記第一外壁材は、複数の前記外壁材取付具のうちの一部によって支持され、前記第二外壁材は、前記第一外壁材に向けて付勢され、かつ複数の前記外壁材取付具のうちの他の一部によって支持されることが好ましい。
【発明の効果】
【００１２】
本発明の外壁材取付具では、壁下地が鉛直方向に対して傾いている場合でも、外壁材を略鉛直に設置することができる。
【００１３】
また、本発明の外壁構造では、壁下地が鉛直方向に対して傾いている場合でも、外壁材取付具によって外壁材を略鉛直に設置することができる。
【図面の簡単な説明】
【００１４】
【図１】本発明の第一形態の外壁材取付具を用いて外壁材を壁下地に取り付けた外壁構造の一例を示す側断面図である。
【図２】第一形態の外壁材取付具を示す図であり、図２Ａは側面図であり、図２Ｂは正面図である。
【図３】第一形態の外壁構造の他の一例を示す側断面図である。
【図４】第一形態の外壁構造のさらに他の一例を示す平断面図である。
【図５】図４の外壁構造で用いられるジョイナを示す斜視図である。
【図６】本発明の第二形態の外壁材取付具を用いて外壁材を壁下地に取り付けた外壁構造の一例を示す側断面図である。
【図７】第二形態の外壁材取付具を示す側面図であり、図７Ａは組立状態の図であり、図７Ｂは固定具の図示を省略した分解図である。
【図８】第二形態の外壁構造の他の一例を示す側断面図である。
【発明を実施するための形態】
【００１５】
以下、本発明の一形態について添付図面に基づいて説明する。
【００１６】
本発明の第一形態の外壁材取付具（以下、単に「取付具」という。）１は、図１に示すように、上下に隣り合う外壁材３，３の上下に隣接する端縁部をそれぞれ支持して壁下地２に該外壁材３，３を取り付けるように構成されている。以下では、図１に示す状態を基準として、壁下地２に対して外壁材３が位置する側を前方とし、その反対側を後方とし、平面視においてこの前後方向に直交する方向を左右方向として、各構成について説明する。例えば、図１では、矢印Ｘ１で示す方向が前方であり、矢印Ｚ１で示す方向が上方であり、図２Ｂでは、矢印Ｙ１で示す方向が右方である。
【００１７】
取付具１は、図１に示すように、壁下地２に固定される取付具本体１０と、外壁材３を支持する支持部４と、壁下地２に対し、取付具本体１０を上下方向に角度調整可能とする調整手段とを備える。支持部４は、取付具本体１０から前方に突出している。取付具１は、取付具本体１０に挿通されるタッピングねじ等の固定具５によって、壁下地２に固定される。取付具１は、外壁材３の後面に当たる左右一対の当て部７をさらに備える。取付具１は、例えば金属製である。
【００１８】
図２Ａ及び図２Ｂに示すように、本形態では、取付具本体１０は、略矩形板状である。支持部４は、取付具本体１０の前面１１のうちの上下方向の中央部から前方に突出している。
【００１９】
取付具本体１０には、支持部４の突出部位よりも上方に、固定具５が挿通される挿通孔１３が設けられている。挿通孔１３は、取付具本体１０を前後方向に貫通する丸孔である。
【００２０】
取付具本体１０には、挿通孔１３よりも上方であって該取付具本体１０上端の下方に、後述する付勢部材６が通過可能な左右一対の開口部１４が形成されている。
【００２１】
支持部４は、取付具本体１０の前面１１から略垂直に突出した略矩形板状の基部４０と、基部４０の前端に設けられた左右一対の上支持部４１とこれら一対の上支持部４１の間に設けられた１つの下支持部４２とを有する。各上支持部４１は、矩形板状をなし、基部４０の前端の左右端部から前斜め上方に突出している。下支持部４２は、断面Ｌ字状をなし、基部４０の前端の中央部から前方に突出する略矩形状の板部と、該板部の先端から垂下する略矩形状の板部とで構成されている。
【００２２】
基部４０の上面には、前後方向に亘るように後方に開口する平面視略Ｕ字状の補強用のリブ４３が設けられている（図４参照）。図２Ａ及び図２Ｂに示すように、リブ４３は、下支持部４２と左右幅が略同じである。また、基部４０と左右一対の上支持部４１との接続部分と、基部４０と取付具本体１０との接続部分にはそれぞれ、補強リブ４４が形成されている。
【００２３】
固定具５は、取付具本体１０の挿通孔１３に挿通されて壁下地２に捻じ込まれることで、取付具１を壁下地２に固定する。
【００２４】
調整手段は、取付具本体１０が壁下地２に固定された状態で取付具本体１０の上端部を前方に付勢する付勢部材６で構成されている。付勢部材６は、本形態では、取付具本体１０に一体に設けられた側面視略Ｌ字状の板バネである。付勢部材６は、取付具本体１０のうち各開口部１４の上縁から後下方に突出した上片部６０と、上片部６０の先端（下端）から略直角に前下方に突出した下片部６１とを有する。そして、上片部６０と下片部６１とが連続する角部分６２が、壁下地２に当接するようになっている。角部分６２の外角側はＲ形状に形成されており、壁下地２、特に通気防水シート（図示せず）を傷つけ難くなっている。
【００２５】
付勢部材６は、外力が加わっていない状態では、角部分６２が取付具本体１０の後面１２よりも後方に位置するように設けられている。そして、付勢部材６は、一定以上の前方に作用する外力が加わることで、前方に回動して開口部１４を通過するように設けられている。このとき、付勢部材６は、角部分６２が取付具本体１０の後面１２と並ぶ前後位置まで移動することが可能である。
【００２６】
付勢部材６は、角部分６２が壁下地２に当接する状態からさらに固定具５が壁下地２へと捻じ込まれることによって、前方へと回動する。そのため、付勢部材６が取付具本体１０の後面１２よりも後方へ突出する長さを、固定具５の壁下地２への捻じ込み量によって調整することができる。
【００２７】
左右一対の当て部７は、取付具本体１０の左右両端から前方に突出した略矩形板状の第一片部７０と、各第一片部７０の前端及び上端から左右方向外側に突出した第二片部７１と、各第二片部７１の左右方向外側の端部の一部から後方に突出した第三片部７２とを有する。第二片部７１は、第一片部７０及び第三片部７２の双方と直交している。
【００２８】
各第一片部７０は、取付具本体１０の左右両端に上下方向に亘って設けられている。各第二片部７１は、各第一片部７０の前端から上端にかけて上下方向に亘って設けられている。各第二片部７１は、上端部分が側面視円弧状をなしており、それよりも下方の部分が側面視略一直線状である。各第三片部７２は、各第二片部７１の側面視略一直線状の部位の左右方向外側の端部に上下方向に亘って設けられている。第一片部７０と第二片部７１の側面視略一直線状の部位と第三片部７２は、後方に開口する断面コ字状をなす。
【００２９】
各第二片部７１の側面視略一直線状の部位の前面が、外壁材３の後面に当たる面である。なお、各当て部７は、第三片部７３を有さないものであってもよい。
【００３０】
壁下地２は、外壁材３の下地であり、例えば、縦胴縁である。なお、壁下地２は、建物の躯体の柱や、この柱の前面に取り付けられる構造用合板等の面材や、この面材の前面に取り付けられる横胴縁であってもよい。
【００３１】
外壁材３は、図１に示すように、上端面のうちの後部に、上方に突出した上突条部３０を有し、下端面のうちの後部に、下方に突出した下突条部３１を有し、下端面のうちの前部に、下方に突出したカバー部３２を有する。上突条部３０，下突条部３１，カバー部３２のそれぞれは、外壁材３の上下の端面に長手方向（左右方向）に亘って設けられている。
【００３２】
上突条部３０は、取付具１の下支持部４２に対応した形状であり、本形態では、側断面略矩形状をなしている。下突条部３１は、取付具１の上支持部４１に対応した形状であり、本形態では、側断面略台形状をなしている。また、カバー部３２は、側断面略矩形状をなしている。外壁材３は、例えば、セメントを主成分とする窯業系材料で形成される。
【００３３】
続いて、上述した取付具１を用いて壁下地２に外壁材３を取り付ける取付手順の一例について説明する。
【００３４】
まず、壁下地２のうち外壁材３の下端縁部の取付予定箇所に、取付具１を当てる。このとき、取付具本体１０の下端と付勢部材６の角部分６２とが、壁下地２の前面に当たる。
【００３５】
次いで、取付具本体１０の挿通孔１３に前方から固定具５を挿通させて、固定具５の頭部が取付具本体１０の前面１１に当たる位置からさらに後方へと、固定具５を壁下地２に捻じ込んでいく。このとき、取付具本体１０の前面１１が鉛直となる位置まで、固定具５を壁下地２へと捻じ込む。ここで、取付具本体１０の前面１１が鉛直か否かは、例えば、取付具１上に水平器を載せるなどして確認する。
【００３６】
次いで、取付具１の支持部４上に外壁材３を載せる。このとき、外壁材３は、下端縁部の下突条部３１が、取付具１の上支持部４１と、左右一対の当て部７の第二片部７１との間に挟まれた状態で、取付具１に支持される。
【００３７】
次いで、外壁材３の上端縁部の上突条部３０に、上記下端縁部を支持する取付具１の上方に配置された別の取付具１の下支持部４２を引っ掛けた状態で、該別の取付具１を固定具５で壁下地２に固定する。このとき、この別の取付具１を、取付具本体１０の前面１１が鉛直となるように、固定具５によって取り付ける。
【００３８】
次いで、上記別の取付具１の支持部４上に新たな外壁材３を載せ、上述の手順で、この新たな外壁材３を上下一対の取付具１によって壁下地２に取り付ける。
【００３９】
上下に並んで設置された２枚の外壁材３は、その間に位置する取付具１の支持部４によって、上側の外壁材３の下端縁部の下突条部３１と下側の外壁材３の上端縁部の上突条部３０とが支持される。このとき、上側の外壁材３のカバー部３２の下面が下側の外壁材３の上端面のうちの前部に当たり、このカバー部３２によって、上側の外壁材３の下突条部３１と下側の外壁材３の上突条部３０とこれらを支持する支持部４が前方から覆われる。
【００４０】
以上のように本形態の取付具１を用いることで、図１に示すように、壁下地２が鉛直方向に対して多少傾いている場合でも、外壁材３を略鉛直に壁下地２に取り付けることができる。
【００４１】
また、図３に示すように、壁下地２の前面が鉛直な場合でも、本形態の取付具１は、外壁材３を略鉛直に壁下地２に取り付けることができる。この場合、固定具５を付勢部材６の付勢力に抗して捻じ込んでいくことで、取付具本体１０の後面１２の全体が壁下地２に当たる状態、つまり取付具本体１０の前面１１が鉛直となる状態で、取付具１を壁下地２に固定することができる。
【００４２】
なお、本形態の取付具１は、付勢部材６を上端部に１つ又は３つ以上有し、取付具本体１０に開口部１４が１つ又は３つ以上設けられたものであってもよい。また、本形態の取付具１は、取付具本体１０が開口部１４を有さず、取付具本体１０の後面１２の上端部に形成した凹部に付勢部材６が設けられたものであってもよい。
【００４３】
また、本形態の取付具１は、取付具本体１０の上端部ではなく下端部に左右一対の付勢部材６と開口部１４を設けたものであってもよい。この場合、下側ほど後方に位置するように傾いた壁下地２の前面に対して、外壁材３を略鉛直に取り付けることができる。また、この場合も同様に、取付具１は、付勢部材６と開口部１４を１つ又は３つ以上有するものであってもよいし、取付具本体１０が開口部１４を有さず、取付具本体１０の後面１２の下端部に形成した凹部に付勢部材６が設けられたものであってもよい。
【００４４】
続いて、本形態の取付具１が好適に用いられる外壁構造のさらに他の一例について説明する。
【００４５】
図４に示す外壁構造は、外壁材３として、側端面同士が突き合わせられた状態で配される第一外壁材３３と第二外壁材３４と第三外壁材３５と第四外壁材３６とを備える。第一外壁材３３は、平面視略Ｌ字状の出隅材である。第一外壁材３３は、上下方向を長手方向とする略矩形板状の第一壁部３３０と、第一壁部３３０の右端から後方に延び、上下方向を長手方向とする略矩形板状の第二壁部３３１とを有する。
【００４６】
第二外壁材３４は、第一外壁材３３の第一壁部３３０の左側に並ぶ略矩形板状の外壁材３であり、第三外壁材３５は、第二外壁材３４の左側に並ぶ略矩形板状の外壁材３であり、第四外壁材３６は、第一外壁材３３の第二壁部３３１の後側に並ぶ略矩形板状の外壁材３である。
【００４７】
外壁材３４，３５はそれぞれ、右側端面が平坦な面である一方、左側端面のうちの前半部に、左側に突出した側突条部３７を有する。側突条部３７は、外壁材３４，３５のそれぞれの左の側端面に、上下方向に亘って形成されている。言い換えると、外壁材３４，３５のそれぞれは、左端部における裏面角部（後側の角部）に、凹状の段差部３８が形成されている。段差部３８は、左方と後方の双方に開口している。段差部３８は、外壁材３４，３５のそれぞれの左側端部に、上下方向に亘って形成されている。
【００４８】
第四外壁材３６は、前端面が平坦な面であり、図示されていないが、後端面のうちの右半部に、後方に突出した側突条部３７を有する。側突条部３７は、第四外壁材３６の後端面に、上下方向に亘って形成されている。言い換えると、第四外壁材３６は、後端部における裏面角部（左側の角部）に、凹状の段差部３８が形成されている。段差部３８は、後方と左方の双方に開口している。段差部３８は、第四外壁材３６の後端部に、上下方向に亘って形成されている。
【００４９】
第一外壁材３３は、第一壁部３３０の左側端面の前半部に、左側に突出した側突条部３７が形成されている一方、第二壁部３３１の後端面の右半部に、後方に突出した側突条部３７が形成されている。側突条部３７は、第一壁部３３０の左側端面と、第二壁部３３１の後端面のそれぞれに、上下方向に亘って形成されている。言い換えると、第一外壁材３３は、第一壁部３３０の左端部における裏面角部（後側の角部）に、凹状の段差部３８が形成されている。そして、第一外壁材３３は、第二壁部３３１の後端部における裏面角部（左側の角部）に、凹状の段差部３８が形成されている。第一壁部３３０の段差部３８は、左方と後方の双方に開口し、第二壁部３３１の段差部３８は、後方と左方の双方に開口している。段差部３８は、第一壁部３３０の左端部と、第二壁部３３１の後端部のそれぞれに、上下方向に亘って形成されている。
【００５０】
外壁材３３，３４，３５，３６のそれぞれは、上下の端縁部に、上記の上突条部３０，下突条部３１，カバー部３２を有する（図１参照）。
【００５１】
図４に示す外壁構造は、取付具１を複数備える。外壁材３３，３４，３５，３６のそれぞれは、複数の取付具１のうちの一部によって個別に支持される。言い換えると、例えば、第一外壁材３３を支持する取付具１と、第二外壁材３４を支持する取付具１とは、互いに異なる。外壁材３３，３４，３５，３６のそれぞれは、図１や図３に示すように上下一対の取付具１によって支持され、略鉛直に、かつ、表側の面が略面一となる状態で、壁下地２に固定される。
【００５２】
外壁材３４，３５は、これらの上下に配設された一対の取付具１によって左右方向にスライド移動可能に支持される。第四外壁材３６は、その上下に配設された一対の取付具１によって前後方向にスライド移動可能に支持される。第一外壁材３３は、第一壁部３３０と第二壁部３３１がそれぞれの上下に配設された一対の取付具１によって支持されることで、壁下地２にスライド移動不可に取り付けられる。
【００５３】
図４に示す外壁構造では、壁下地２として、建物の躯体の柱２０と、柱２０の前面に取り付けられる構造用合板等の面材２１と、面材２１の前面に取り付けられる複数の縦胴縁２２とを備える。
【００５４】
図４に示す外壁構造は、左右に隣接する２枚の外壁材３の背面に架け渡して配されるジョイナ８をさらに備える。図４に示す外壁構造は、ジョイナ８を複数備える。
【００５５】
ジョイナ８は、左右に隣接する２枚の外壁材３の間から浸入した雨水が壁下地２へと至ることを抑制するためのものである。ジョイナ８は、例えば、金属製である。ジョイナ８は、上下方向に長尺なものであり、その上下方向の長さが、例えば、上下に並べて設置される複数枚の外壁材３の上下長さの合計と略同じである。なお、ジョイナ８は、その上下長さが、１枚の外壁材３の上下長さよりも短いものであってもよい。この場合、ジョイナ８は、外壁材３の上下方向に亘って位置するように複数設置される。
【００５６】
複数のジョイナ８は、図５に示す付勢部８０を有する第一ジョイナ８１と、付勢部を有さない第二ジョイナ８２とを含む。第二ジョイナ８２とは、第一ジョイナ８１から付勢部８０を省略した構造である。
【００５７】
図４に示す外壁構造では、第一ジョイナ８１は、第二外壁材３４と第三外壁材３５との突き合わせ部分に配され、第二ジョイナ８２は、第一外壁材３３と第二外壁材３４との突き合わせ部分と、第一外壁材３３と第四外壁材３６との突き合わせ部分にそれぞれ配されている。
【００５８】
第一ジョイナ８１は、図４及び図５に示すように、左右に隣接する２枚の外壁材３の双方の背面に接するベース部８３と、ベース部８３から段差部３８内に突出する対向片８４と、対向片８４に設けられ、左右に隣接する外壁材３の側端面を付勢する付勢部８０とを有する。さらに、第一ジョイナ８１は、ベース部８３の左右の端部のそれぞれに連続する一対の取付部８５と、対向片８４の前端部に連続する支持片部８６とを有する。ベース部８３，対向片８４，支持片部８６はいずれも、略矩形板状であり、左右一対の取付部８５は、前方に開口した平断面略コ字状である。
【００５９】
ベース部８３は、左右の端部のそれぞれに前方に突出した突片部８７を有する。突片部８７は、ベース部８３の左右の端部に上下方向に亘って形成されている。
【００６０】
ベース部８３の前面における左右の突片部８７の左右方向内側の部位と、支持片部８６の前面には、パッキン等の板状の止水材８８が、上下方向に亘って取り付けられる。ベース部８３は、左右の端部がそれぞれ、止水材８８を介して、左右に隣接する２枚の外壁材３の双方の背面に当たる。
【００６１】
付勢部８０は、本形態では、板バネである。なお、付勢部８０は、コイルバネや、ゴム、樹脂等であってもよい。
【００６２】
第一ジョイナ８１は、付勢部８０を除いた残りの構成が、上下方向に亘って一定の断面形状を有する。第一ジョイナ８１のうち付勢部８０を除いた残りの構成は、例えば、アルミニウムの押出成形により形成される。そして、付勢部８０は、例えば、ビス止めなどによって対向片８４に固定されている。
【００６３】
付勢部８０は、第一ジョイナ８１の上下方向の長さに対応して、対向片８４に１つまたは複数設けられる。複数の付勢部８０は、上下方向に間隔をおいて位置してもよいし、上下方向に隙間なく並んで位置してもよい。付勢部８０の設置数は、外壁材３のスライド移動に必要な力を確保できるように、適宜決められる。
【００６４】
続いて、図４に示す外壁構造の施工手順の一例について説明する。
【００６５】
まず、柱２０に取り付けられた面材２１のうち、第一外壁材３３の第一壁部３３０の左右方向の一部（例えば中央部）と左端部のそれぞれに対応する箇所に、縦胴縁２２を取り付ける。そして、柱２０に取り付けられた面材２１のうち、第一外壁材３３の第二壁部３３１の前後方向の一部（例えば中央部）と後端部のそれぞれに対応する箇所に、縦胴縁２２を取り付ける。
【００６６】
次いで、面材２１のうち、第一壁部３３０の左右方向の一部と、第二壁部３３１の前後方向の一部のそれぞれに対応する箇所に取り付けた縦胴縁２２には、第一壁部３３０と第二壁部３３１のそれぞれの下端縁部に対応する箇所に、取付具１を取り付ける。各取付具１の取り付けは、上述した取付手順と同様の手順で、取付具本体１０の前面１１が鉛直となるように行う。
【００６７】
次いで、面材２１のうち、第一壁部３３０の左端部に対応する箇所に取り付けた縦胴縁２２と、第二壁部３３１の後端部に対応する箇所に取り付けた縦胴縁２２には、第二ジョイナ８２を取り付ける。第二ジョイナ８２は、左右一対の取付部８５の底壁部８５１を縦胴縁２２に当て、各底壁部８５１に正面側からねじ等の固定具を打ち付けることで、縦胴縁２２に固定される。
【００６８】
次いで、各縦胴縁２２に取り付けた取付具１上に、第一外壁材３３の第一壁部３３０と第二壁部３３１をそれぞれ載せ、各縦胴縁２２のうち、第一壁部３３０と第二壁部３３１のそれぞれの上端縁部に対応する箇所に取付具１を取り付ける。これにより、第一外壁材３３は、上下一対の取付具１によって壁下地２に取り付けられる。このとき、第一外壁材３３は、第一壁部３３０と第二壁部３３１のそれぞれが、上下一対の取付具１によって支持されることで、壁下地２に対して移動不可な状態で取り付けられる。
【００６９】
第一外壁材３３が壁下地２に取り付けられた状態で、一方の第二ジョイナ８２の前方に、第一壁部３３０の左端部が位置し、他方の第二ジョイナ８２の右方に、第二壁部３３１の後端部が位置する。このとき、各第二ジョイナ８２の対向片８４と支持片部８６は、第一壁部３３０と第二壁部３３１それぞれの凹状の段差部３８内に収まり、各第二ジョイナ８２のベース部８３と支持片部８６のそれぞれが、止水材８８を介して、壁部３３０，３３１の背面に当たる。
【００７０】
次いで、面材２１のうち、第二外壁材３４の左右方向の一部（例えば中央部）と、第三外壁材３５の左右方向の一部（例えば中央部）と、第二外壁材３４と第三外壁材３５の突き合わせ部分のそれぞれに対応する箇所に、縦胴縁２２を取り付ける。
【００７１】
次いで、面材２１のうち、第二外壁材３４の左右方向の一部と、第三外壁材３５の左右方向の一部のそれぞれに対応する箇所に取り付けた縦胴縁２２には、外壁材３４，３５のそれぞれの下端縁部に対応する箇所に、取付具１を取り付ける。各取付具１の取り付けは、上述した取付手順と同様の手順で、取付具本体１０の前面１１が鉛直となるように行う。
【００７２】
次いで、面材２１のうち、第二外壁材３４と第三外壁材３５の突き合わせ部分に対応する箇所に取り付けた縦胴縁２２には、第一ジョイナ８１を取り付ける。第一ジョイナ８１は、左右一対の取付部８５の底壁部８５１を縦胴縁２２に当て、各底壁部８５１に正面側からねじ等の固定具を打ち付けることで、縦胴縁２２に固定される。
【００７３】
次いで、各縦胴縁２２に取り付けた取付具１上に、第二外壁材３４と第三外壁材３５をそれぞれ載せる。このとき、第二外壁材３４と第三外壁材３５の側端面同士が突き合わさり、第二外壁材３４の右側端面と第一外壁材３３の第一壁部３３０の左側端面（側突条部３７の先端面）とが突き合わさるように、外壁材３４，３５を載せる。第一ジョイナ８１の対向片８４と支持片部８６と付勢部８０とは、第二外壁材３４の凹状の段差部３８内に収まる。
【００７４】
次いで、各縦胴縁２２のうち、外壁材３４，３５のそれぞれの上端縁部に対応する箇所に取付具１を取り付けて、外壁材３４，３５をそれぞれ、上下一対の取付具１によって壁下地２に取り付ける。このとき、外壁材３４，３５のそれぞれは、上下一対の取付具１によって左右方向にスライド移動可能に支持される。なお、施工直後の状態では、外壁材３３，３４，３５は、側端面同士が接しているため、外壁材３３，３４，３５のいずれか１つが収縮しないかぎり、位置が略固定されている。
【００７５】
外壁材３４，３５が壁下地２に取り付けられた状態で、第一ジョイナ８１の前方に、外壁材３４，３５の突き合わせ部分が位置する。このとき、第一ジョイナ８１の支持片部８６は、止水材８８を介して、第二外壁材３４の側突条部３７の背面に当たる。そして、第一ジョイナ８１のベース部８３が止水材８８を介して、外壁材３４，３５の背面に当たる。
【００７６】
第二外壁材３４が壁下地２に取り付けられた状態で、第一ジョイナ８１の付勢部８０が、第二外壁材３４の左の側端面のうち側突条部３７よりも後方の部位に当たって、第二外壁材３４に対して第一外壁材３３に当たる向きに弾性力を付与する。これにより、第二外壁材３４は、右の側端面が第一外壁材３３の第一壁部３３０の側突条部３７の先端（左端）に押し当たった状態となる。
【００７７】
第三外壁材３５の左側に、さらに他の外壁材３を並べて設置する場合には、上述した手順と同様の手順で、左右に隣接する２枚の外壁材３の突き合わせ部分の背面側に第一ジョイナ８１が位置するように、他の外壁材３と第一ジョイナ８１とを設置する。
【００７８】
なお、第四外壁材３６の設置については、上述した第二外壁材３４の設置と同様の手順で行う。
【００７９】
また、第四外壁材３６の後方に、さらに他の外壁材３を並べて設置する場合にも、上述した手順と同様の手順で、左右に隣接する２枚の外壁材３の突き合わせ部分の背面側に第一ジョイナ８１が位置するように、他の外壁材３と第一ジョイナ８１とを設置する。
【００８０】
以上のようにして施工された図４に示す外壁構造では、外壁材３３，３４，３５，３６が施工後に収縮した場合に、第一ジョイナ８１の付勢部８０によって外壁材３４，３５，３６を第一外壁材３３側へとスライド移動させることができ、左右に隣接する２枚の外壁材３間に隙間が形成されるのを抑制することができる。
【００８１】
また、図４に示す外壁構造では、壁下地２の前面が多少傾いている場合でも、取付具１によって外壁材３３，３４，３５，３６のそれぞれを略鉛直に支持することができるため、壁下地２の前面の傾きを原因とする左右方向または前後方向に隣接する２枚の外壁材３間の隙間の形成を抑制できる。したがって、図４に示す外壁構造では、左右に隣接する２枚の外壁材３の間の隙間にコーキング剤を充填するといったコーキング処理を行わなくてもよく、ノンシーリング構造とすることができる。
【００８２】
また、本形態の外壁構造は、仮に、２枚の外壁材３の間から雨水が浸入した場合でも、ジョイナ８と外壁材３との間に設けた各止水材８８によって、壁下地２まで雨水が入り込むことを抑制することができる。また、これら止水材８８を乗り越えて水が浸入しても、この浸入した水を取付部８５の内側のスペースを通じて下方に流すことができる。
【００８３】
なお、図４に示す外壁構造は、第一外壁材３３が、外壁材３４，３５と同様に、略矩形板状の外壁材３であってもよいし、入隅材を構成する外壁材３であってもよい。
【００８４】
また、図４に示す外壁構造は、外壁材３３，３４の突き合わせ部分や、外壁材３３，３６の突き合わせ部分に設置されるジョイナ８が、付勢部８０付きの第一ジョイナ８１であってもよい。
【００８５】
続いて、図６，図７Ａ，図７Ｂ，図８に示す本発明の第二形態の取付具１及び外壁構造について説明する。以下では、第一形態の取付具１及び外壁構造と同様の構成については図中に同じ符号を付して説明を省略し、異なる構成について詳しく説明する。
【００８６】
第二形態の取付具１では、付勢部材６は、挿通孔１３と同軸となるように取付具本体１０から後方に延びるコイルスプリングである。
【００８７】
本形態の取付具１では、取付具本体１０は、後面１２のうち挿通孔１３のある部位が、前方に凹んだ凹部１５となっている。後面１２の挿通孔１３周縁から後方に向けて円筒部１６が突出している。円筒部１６は、挿通孔１３と同軸となっている。円筒部１６の後端の前後位置は、取付具本体１０の後面１２のうち凹部１５以外の箇所の前後位置と同一またはこの位置よりも前方である。円筒部１６は、後端部が大径のフランジ部１６０となっている。円筒部１６に取り付けられた付勢部材６は、フランジ部１６０によって抜けにくくなっている。
【００８８】
付勢部材６は、外力が加わっていない状態で、取付具本体１０の後面１２のうち凹部１５以外の箇所よりも後方に突出する長さを有する。付勢部材６は、一定以上の前方に作用する外力が加わることで、圧縮されて凹部１５内に収まる。このとき、付勢部材６は、後端が取付具本体１０の後面１２のうち凹部１５以外の箇所と並ぶ前後位置まで収縮することが可能である。
【００８９】
付勢部材６は、後端が壁下地２に当たる状態からさらに固定具５が壁下地２へと捻じ込まれることによって、前後方向に圧縮される。そのため、付勢部材６の取付具本体１０の後面１２の凹部１５以外の箇所よりも後方へ突出する長さを、固定具５の壁下地２への捻じ込み量によって調整することができる。
【００９０】
上述した本形態の取付具１を用いることで、図６に示すように、壁下地２の前面が鉛直方向に対して多少傾いている場合でも、外壁材３を略鉛直に壁下地２に取り付けることができる。
【００９１】
また、図８に示すように、壁下地２の前面が鉛直な場合でも、本形態の取付具１は、外壁材３を略鉛直に壁下地２に取り付けることができる。この場合、固定具５を付勢部材６の付勢力に抗して捻じ込んでいくことで、取付具本体１０の後面１２の凹部１５以外の箇所の全体が壁下地２に当たる状態、つまり取付具本体１０の前面１１が鉛直となる状態で、取付具１を壁下地２に固定することができる。
【００９２】
なお、本形態の取付具１は、図４に示す外壁構造を形成することも可能である。
【００９３】
以上、図に基づいて説明した本発明の第一及び第二形態の取付具１は、下記の構成を備えることを特徴とする。
【００９４】
すなわち、第一及び第二形態の取付具１は、上下に隣り合う外壁材３，３の上下に隣接する端縁部をそれぞれ支持して壁下地２に該外壁材３，３を取り付ける取付具である。取付具１は、壁下地２に固定される取付具本体１０と、取付具本体１０から前方に突出し、外壁材３を支持する支持部４と、壁下地２に対し、取付具本体１０を上下方向に角度調整可能とする調整手段とを備える。
【００９５】
上記の構成を備える第一及び第二形態の取付具１では、壁下地２が鉛直方向に対して多少傾いている場合には、調整手段によって、壁下地２に対し、取付具本体１０の上下方向の角度を調整することができる。したがって、第一及び第二形態の取付具１では、壁下地２が鉛直方向に対して多少傾いている場合でも、外壁材３を略鉛直に設置することができる。
【００９６】
さらに本発明の第一形態の取付具１は、上記の構成に加えて、下記の構成を付加的に備える。
【００９７】
すなわち、第一形態の取付具１では、調整手段は、取付具本体１０が壁下地２に固定された状態で取付具本体１０を前方に付勢する付勢部材６で構成されている。
【００９８】
上記の付加的な構成を備えることで、第一形態の取付具１では、取付具本体１０が壁下地２に固定された状態で、取付具本体１０が付勢部材６からの付勢力を受けることで、取付具本体１０の姿勢が安定的に保持される。
【００９９】
さらに本発明の第一形態の取付具１は、上記の構成に加えて、下記の構成を付加的に備える。
【０１００】
すなわち、第一形態の取付具１では、付勢部材６は、取付具本体１０に一体に設けられた板バネである。
【０１０１】
上記の付加的な構成を備えることで、第一形態の取付具１では、壁下地２に対して点接触する付勢部材６を用いる場合に比べて、取付具本体１０の傾きの調整を安定的に行うことができる。また、板バネという比較的簡単な構成で調整手段を構成することができる。
【０１０２】
さらに本発明の第二形態の取付具１は、上記の構成に加えて、下記の構成を付加的に備える。
【０１０３】
すなわち、第二形態の取付具１では、取付具本体１０には、取付具本体１０を壁下地２に固定する固定具５が挿通される挿通孔１３が形成されており、付勢部材６は、挿通孔１３と同軸となるように取付具本体１０から後方に延びるコイルスプリングである。
【０１０４】
上記の付加的な構成を備えることで、第二形態の取付具１では、固定具５に沿ってコイルスプリングを収縮させることができ、取付具本体１０の傾きの調整を安定的に行うことができる。また、コイルスプリングという比較的簡単な構成の部材を用いて調整手段を構成することができる。
【０１０５】
また、本発明の第一及び第二形態の外壁構造は、下記の構成を備えることを特徴とする。
【０１０６】
すなわち、第一及び第二形態の外壁構造は、取付具１を複数備え、外壁材３として、側端面同士が突き合わせられた状態で配される第一外壁材３３と第二外壁材３４とを備える。第一外壁材３３は、複数の取付具１のうちの一部によって支持され、第二外壁材３４は、第一外壁材３３に向けて付勢され、かつ複数の取付具１のうちの他の一部によって支持される。
【０１０７】
上記の付加的な構成を備えることで、第一及び第二形態の外壁構造では、側端面同士が突き合わせられた状態で配される第一外壁材３３と第二外壁材３４とをそれぞれ、別々の取付具１を用いて、略鉛直に設置することができる。これにより、第一及び第二形態の外壁構造では、左右に隣接する２枚の外壁材３３，３４が相対的に傾いて設置されることを抑制したうえで、施工後に外壁材３３，３４のいずれか一方が収縮した場合でも、外壁材３３，３４の側端面同士が当たった状態を維持することができる。したがって、第一及び第二形態の外壁構造では、左右に隣接する２枚の外壁材３３，３４の間に隙間ができることを効果的に抑制することができて、ノンシーリング構造とすることができる。
【０１０８】
以上、本発明を添付図面に示す実施形態に基づいて説明したが、本発明は上記の実施形態に限定されるものではなく、本発明の意図する範囲内であれば、適宜の設計変更が可能である。
【０１０９】
上記実施形態では、取付具本体１０の後面１２が外壁材３と略平行になるように構成されているが、これに限定されず、例えば、後面１２が外壁材３と交差するように構成されていてもよい。これにより、取付具本体１０の角度調整範囲を拡縮することが可能となる。
【０１１０】
さらに、上記実施形態では、付勢部材６が板バネまたはコイルスプリングで構成されているが、これに限定されず、例えば付勢部材６がこれら板バネ及びコイルスプリングの双方で構成されていてもよい。これにより、取付具本体１０をより大きな力で付勢することが可能となり、外壁材３の鉛直姿勢をより確実に保持することが可能となる。
【符号の説明】
【０１１１】
１      取付具
１０    取付具本体
２      壁下地
３      外壁材
３３    第一外壁材
３４    第二外壁材
５      固定具
６      付勢部材
【図１】
0006659277.tif 000002
【図２】
0006659277.tif 000003
【図３】
0006659277.tif 000004
【図４】
0006659277.tif 000005
【図５】
0006659277.tif 000006
【図６】
0006659277.tif 000007
【図７】
0006659277.tif 000008
【図８】
0006659277.tif 000009